(57)【特許請求の範囲】
【請求項１】
衛星局と地上局の間のダウンリンク及びアップリンクのチャネルの検索条件の指定を行う指定ページを提示する処理と、
前記指定ページで入力された条件に基づいた検索の結果である地上局の一覧を提示するとともに、地上局の指定入力が可能とされる検索結果ページを提示する処理と、
前記検索結果ページで指定された１又は複数の地上局を用いた通信プランを示す通信プランページを提示する処理と、
を行うユーザインタフェース部を備えた
情報処理装置。
【請求項２】
前記ユーザインタフェース部が提示する前記指定ページは、
衛星局と地上局の間のダウンリンク用の帯域とアップリンク用の帯域に関する指定が可能とされる帯域指定ページと、
前記帯域指定ページで選択されたダウンリンクの帯域における通信設定と、前記帯域指定ページで選択されたアップリンクの帯域における通信設定の一方又は両方が可能とされる通信指定ページと、
を含む複数のページで構成される
請求項１に記載の情報処理装置。
【請求項３】
前記ユーザインタフェース部は、
前記検索結果ページにおいて地上局の詳細情報要求操作が行われることに応じて、該当する地上局の詳細情報を示した詳細ページを提示する処理を行う
請求項１又は請求項２に記載の情報処理装置。
【請求項４】
前記指定ページで入力された検索条件に基づいて、地上局の検索処理を行い検索結果を得る検索処理部を備えた
請求項１から請求項３のいずれかに記載の情報処理装置。
【請求項５】
前記検索結果ページで指定された１又は複数の地上局の情報に基づいて通信プランを生成する処理を行うプラン生成処理部を備えた
請求項１から請求項４のいずれかに記載の情報処理装置。
【請求項６】
前記指定ページではダウンリンクのみのチャネルの検索条件の指定を行うことが可能とされる
請求項１から請求項５のいずれかに記載の情報処理装置。
【請求項７】
前記指定ページではダウンリンク又はアップリンクのチャネルの検索条件の指定をせずに検索要求をすることが可能とされる
請求項１から請求項６のいずれかに記載の情報処理装置。
【請求項８】
前記通信指定ページでは、帯域幅、変調方式、データレートのいずれかが少なくとも指定可能とされる
請求項２に記載の情報処理装置。
【請求項９】
衛星局と地上局の間のダウンリンク及びアップリンクのチャネルの検索条件の指定を行う指定ページを提示する処理と、
前記指定ページで入力された条件に基づいた検索の結果である地上局の一覧を提示するとともに、地上局の指定入力が可能とされる検索結果ページを提示する処理と、
前記検索結果ページで指定された１又は複数の地上局を用いた通信プランを示す通信プランページを提示する処理と、
を情報処理装置が実行する情報処理方法。
【請求項１０】
衛星局と地上局の間のダウンリンク及びアップリンクのチャネルの検索条件の指定を行う指定ページを提示する処理と、
前記指定ページで入力された条件に基づいた検索の結果である地上局の一覧を提示するとともに、地上局の指定入力が可能とされる検索結果ページを提示する処理と、
前記検索結果ページで指定された１又は複数の地上局を用いた通信プランを示す通信プランページを提示する処理と、
を情報処理装置に実行させるプログラム。
【発明の詳細な説明】
【技術分野】
【０００１】
本技術は、情報処理装置、情報処理方法、プログラムに関し、特に地上局に関する情報の提示についての技術に関する。
【背景技術】
【０００２】
衛星局と地上に設置された地上局との間で通信を行うための通信システムが知られている。
下記引用文献１には、地球の地心を略回転中心にして軌道で周回している衛星局を、地球の地上に設置された地上局の地上アンテナで追尾しながら、当該地上アンテナと衛星局の衛星アンテナとの間に電波を伝搬させて通信を行うものが開示されている。
【先行技術文献】
【特許文献】
【０００３】
【特許文献１】特開２０１０−２５８５０７号公報
【発明の概要】
【発明が解決しようとする課題】
【０００４】
衛星事業者が衛星局の打ち上げ機数を増やす上で、大きな懸念事項となっているのが衛星局との通信を担う地上局の不足である。打ち上げ初期の複数機までは自社で所有する地上局などにより衛星局との通信を賄えるが、それ以上の機数となると、世界各地にある地上局提供事業者の提供する地上局を利用することになる。
【０００５】
地上局提供事業者の提供する地上局を利用するにあたり、衛星事業者は、地上局提供事業者が提供する地上局が自社の衛星局と通信するためのスペックを満たしているか、利用する際の費用がどれくらいになるかなどを検討する必要がある。
そのため、衛星事業者は、利用を検討する地上局提供事業者に対してＲＦＩ（Request for Information）やＲＦＰ（Request for Proposal）といった文書を送付することで、地上局に関する主要情報を地上局提供事業者から取得していた。
【０００６】
しかしながら、数ある地上局提供事業者のなかから自社の衛星局と通信可能なスペックを有する地上局を所有する会社を探すことは容易ではなく、該当する地上局提供事業者が見つかるまで、ＲＦＩやＲＦＰといった文書を各地上局提供事業者に送付して地上局に関する主要情報を取得するという作業を続けることは、衛星事業者にとって負担となり、地上局の準備と、その運用開始までにかかるリードタイムを長引かせる大きな要因となっていた。
【０００７】
そこで、本技術では、衛星事業者の衛星局と通信可能なスペックを有する地上局を容易に検索可能とし、検索した地上局に関する主要情報を容易に取得可能とする衛星事業者のためのシステムを提供することを目的とする。
【課題を解決するための手段】
【０００８】
本技術に係る情報処理装置は、衛星局と地上局の間のダウンリンク及びアップリンクのチャネルの検索条件の指定を行う指定ページを提示する処理と、前記指定ページで入力された条件に基づいた検索の結果である地上局の一覧を提示するとともに、地上局の指定入力が可能とされる検索結果ページを提示する処理と、前記検索結果ページで指定された１又は複数の地上局を用いた通信プランを示す通信プランページを提示する処理と、を行うユーザインタフェース部を備える。
これにより、チャネルの検索条件を指定することで検索された地上局の一覧が提示され、当該提示された一覧から地上局を選択することで、自動的に選択した地上局に関する情報を反映した通信プランが作成され、通信プランページとして提示される。
【０００９】
本技術に係る情報処理装置において、前記ユーザインタフェース部が提示する前記指定ページは、衛星局と地上局の間のダウンリンク用の帯域とアップリンク用の帯域に関する指定が可能とされる帯域指定ページと、前記帯域指定ページで選択されたダウンリンクの帯域における通信設定と、前記帯域指定ページで選択されたアップリンクの帯域における通信設定の一方又は両方が可能とされる通信指定ページと、を含む複数のページで構成されることが考えられる。
これにより、地上局の検索条件として、ダウンリンク及びアップリンクの周波数帯域、及びその周波数帯域における通信設定を指定することができる。
【００１０】
本技術に係る情報処理装置において、前記ユーザインタフェース部は、前記検索結果ページにおいて地上局の詳細情報要求操作が行われることに応じて、該当する地上局の詳細情報を示した詳細ページを提示する処理を行うことが考えられる。
これにより、検索された地上局の詳細情報を確認することができる。
【００１１】
本技術に係る情報処理装置において、前記指定ページで入力された検索条件に基づいて、地上局の検索処理を行い検索結果を得る検索処理部を備えることが考えられる。
これにより、当該検索処理が情報処理装置において実現される。
【００１２】
本技術に係る情報処理装置において、前記検索結果ページで指定された１又は複数の地上局の情報に基づいて通信プランを生成する処理を行うプラン生成処理部を備えることが考えられる。
これにより、当該プラン生成処理が情報処理装置において実現される。
【００１３】
本技術に係る情報処理装置において、前記指定ページではダウンリンクのみのチャネルの検索条件の指定を行うことが可能とされることが考えられる。
これにより、アップリンクに関する情報を考慮することなく、ダウンリンクの検索条件のみで地上局を検索することができる。
【００１４】
本技術に係る情報処理装置において、前記指定ページではダウンリンク又はアップリンクのチャネルの検索条件の指定をせずに検索要求をすることが可能とされることが考えられる。
これにより、ダウンリンク及びアップリンクの一方のみのチャネルの検索条件を指定した状態で地上局を検索することができ、ダウンリンク及びアップリンクの両方のチャネルの検索条件を指定しない状態で地上局を検索することができる。
【００１５】
本技術に係る情報処理装置において、前記通信指定ページでは、帯域幅、変調方式、データレートのいずれかが少なくとも指定可能とされることが考えられる。
これにより、帯域幅、変調方式、データレートなどを検索条件として地上局を検索することができる。
【００１６】
本技術に係る情報処理方法は、衛星局と地上局の間のダウンリンク及びアップリンクのチャネルの検索条件の指定を行う指定ページを提示する処理と、前記指定ページで入力された条件に基づいた検索の結果である地上局の一覧を提示するとともに、地上局の指定入力が可能とされる検索結果ページを提示する処理と、前記検索結果ページで指定された１又は複数の地上局を用いた通信プランを示す通信プランページを提示する処理と、を情報処理装置が実行する。
本技術に係るプログラムは、上記の各手順を情報処理装置に実行させるプログラムである。
【発明の効果】
【００１７】
本技術によれば、利用を検討する地上局を容易に検索することができ、検索した地上局に関する情報を容易に取得することができる。
なお、ここに記載された効果は必ずしも限定されるものではなく、本開示中に記載されたいずれかの効果であってもよい。
【図面の簡単な説明】
【００１８】
【図１】実施の形態のネットワークシステムの構成例を示す図である。
【図２】実施の形態のネットワークシステムの構成例のバリエーションを示す図である。
【図３】実施の形態のハードウェア構成を示す図である。
【図４】実施の形態の各ページの概要を示す図である。
【図５】実施の形態の帯域指定ページの第１の説明図である。
【図６】実施の形態の帯域指定ページの第２の説明図である。
【図７】実施の形態の帯域指定ページの第３の説明図である。
【図８】実施の形態の通信指定ページの第１の説明図である。
【図９】実施の形態の通信指定ページの第２の説明図である。
【図１０】実施の形態の通信指定ページの第３の説明図である。
【図１１】実施の形態の検索結果ページの第１の説明図である。
【図１２】実施の形態の検索結果ページの第２の説明図である。
【図１３】実施の形態の詳細ページの説明図である。
【図１４】実施の形態の通信プランページの第１の説明図である。
【図１５】実施の形態の通信プランページの第２の説明図である。
【図１６】実施の形態の通信プランページの第３の説明図である。
【図１７】実施の形態の通信プランページの第４の説明図である。
【図１８】実施の形態のサーバの実行する処理のフローチャートである。
【発明を実施するための形態】
【００１９】
以下、実施の形態を次の順序で説明する。
＜１．全体構成＞
＜２．管理サーバ、ユーザ端末及びＤＢの機能＞
＜３．ユーザ端末における各ページの提示態様＞
［３−１．地上局情報提供システムにおける各ページの概要］
［３−２．帯域指定ページの概要］
［３−３．通信指定ページの概要］
［３−４．検索結果ページ及び詳細ページの概要］
［３−５．通信プランページの概要］
＜４．地上局情報提供システムにおける処理＞
＜５．まとめ＞
＜６．プログラム及び記憶媒体＞
また、実施の形態に用いる語句の説明を以下に示す。
衛星局とは、無線通信を行う局としての衛星局(衛星局局)のことをいう。衛星局に搭載されたアンテナを衛星アンテナとして表記する。衛星局は、例えば地球の周りを回る衛星局のことである。
地上局とは、衛星局と通信するための地上側の無線施設のことをいう。アンテナ等の無線機器からなる。地上局に搭載されたアンテナを地上アンテナとして表記する。
ユーザとは、以下の実施の形態で説明する地上局情報提供システムを利用する者であり、例えば、衛星事業者のことである。
衛星事業者とは、衛星局を運用する事業者である。衛星事業者は、自らの衛星局との通信を行うための地上アンテナを所有していることもある。即ち、衛星事業者は地上アンテナ事業者であることもある。
地上局提供事業者とは、地上局を運用する事業者をいう。例えば、テレポートなどの地上局によるサービスの提供者や、大学、研究機関、自らの衛星との通信のために地上アンテナを持つ衛星事業者などである。
パスとは、或る一の衛星局と或る一の地上局との通信が開始されてから終了するまでの一回の通信機会をいう。
ＴＬＥ（Two-Line Element set）とは、衛星局の軌道情報を表すフォーマットまたはその軌道情報そのもののことである。
ダウンリンクとは衛星局から地上局へ送信する通信のことであり、アップリンクとは地上局から衛星局への送信を含む通信のことである。
チャネルとは、ダウンリンクやアップリンクとして形成される１つの通信系統である。
例えばチャネルとは、 衛星へ送信するアップリンク周波数と衛星から受信するダウンリンク周波数の組がある。 或いはダウンリンク周波数のみが設定されるチャネルもある。
通信プランとは、衛星事業者が利用を検討するにあたり必要な地上局に関する情報をまとめたものをいい、例えば、選択された１又は複数の地上局における１日あたりに受信可能なデータ量、パスに関する情報、地上局の所在地、地上局の検索にあたり指定したパラメータ、選択した各地上局の名称、外観、回線速度、Ｇ／Ｔ、ダウンロードライセンスの要否などの情報がまとめられている。
【００２０】
＜１．全体構成＞
本技術の実施の形態における地上局情報提供システムについて説明する。
地上局情報提供システムは、衛星局と地上局におけるダウンリンクやアップリンクのチャネル及びその詳細を地上局の検索条件として指定することで、当該指定した検索条件に該当する地上局の検索結果を提示するとともに、提示した地上局に関する様々な情報を通信プランとして提供するシステムとして機能する。
以下の説明において、地上局情報提供システムのことを単に本システムとも表記する。
【００２１】
図１を参照して、実施の形態における本システムの構成例について説明する。
図１に示すように、本実施の形態に係るネットワークシステムは、管理サーバ１と１又は複数のユーザ端末２とがネットワークＮＷにより相互に通信可能な状態で接続されている。また、管理サーバ１はデータベース３にアクセス可能とされている。
なお、以下ではデータベースをＤＢ（Database）とも表記する。
【００２２】
ネットワークＮＷの構成は多様な例が想定される。例えば、インターネット、イントラネット、エキストラネット、ＬＡＮ（Local Area Network）、ＣＡＴＶ（Community Antenna TeleVision）通信網、仮想専用網（VPN:Virtual Private Network）、電話回線網、移動体通信網、衛星通信網などが想定される。
【００２３】
またネットワークＮＷの全部又は一部を構成する伝送媒体についても多様な例が想定される。例えばＩＥＥＥ（Institute of Electrical and Electronics Engineers）１３９４、ＵＳＢ（Universal Serial Bus）、電力線搬送、電話線などの有線でも、ＩｒＤＡ（Infrared Data Association）のような赤外線、Ｂｌｕｅｔｏｏｔｈ（登録商標）、８０２．１１無線、携帯電話網、衛星回線、地上波デジタル網などの無線でも使用可能である。
【００２４】
管理サーバ１は、本システムを提供する運営側の情報処理装置である。管理サーバ１は、例えば運営側の会社に据え置かれた通信機能を備えたコンピュータ装置などにより実現される。
【００２５】
ユーザ端末２は、本システムを利用するユーザが使用する情報処理装置である。ユーザ端末２は、例えば通信機能を備えたコンピュータ装置などにより実現される。またユーザ端末２は、通信機能を備えたフィーチャーフォンやＰＤＡ、或いはスマートフォンやタブレット端末などのスマートデバイスなどにより実現されてもよい。
【００２６】
ＤＢ３は、管理サーバ１が処理を実行するために必要な情報が格納されたＤＢを包括的に示している。ＤＢ３の詳細については後述する。
【００２７】
続いて、図１に示した管理サーバ１、ユーザ端末２を構成する情報処理装置のハードウェア構成について、図２を参照して説明する。管理サーバ１、ユーザ端末２として示した各装置は、情報処理及び情報通信が可能な図２に示すようなコンピュータ装置として実現できる。
【００２８】
図２において、コンピュータ装置のＣＰＵ（Central Processing Unit）７１は、ＲＯＭ(Read Only Memory)７２に記憶されているプログラム、または記憶部７８からＲＡＭ(Random Access Memory)７３にロードされたプログラムに従って各種の処理を実行する。ＲＡＭ７３にはまた、ＣＰＵ７１が各種の処理を実行する上において必要なデータなども適宜記憶される。
ＣＰＵ７１、ＲＯＭ７２、及びＲＡＭ７３は、バス７４を介して相互に接続されている。このバス７４には、入出力インターフェース７５も接続されている。
入出力インターフェース７５には、キーボード、マウス、タッチパネルなどよりなる入力部７６、ＬＣＤ（Liquid Crystal Display）、ＣＲＴ（Cathode Ray Tube）、有機ＥＬ（Electroluminescence）パネルなどよりなるディスプレイ、並びにスピーカなどよりなる出力部７７、ＨＤＤ（Hard Disk Drive）やフラッシュメモリ装置などより構成される記憶部７８、ネットワークＮＷを介しての通信処理や機器間通信を行う通信部７９が接続されている。
入出力インターフェース７５にはまた、必要に応じてメディアドライブ８０が接続され、磁気ディスク、光ディスク、光磁気ディスク、或いは半導体メモリなどのリムーバブルメディア８１が適宜装着され、リムーバブルメディア８１に対する情報の書込や読出が行われる。
【００２９】
このようなコンピュータ装置では、通信部７９による通信によりデータやプログラムのアップロード、ダウンロードが行われたり、リムーバブルメディア８１を介してデータやプログラムを受け渡したりすることが可能である。
ＣＰＵ７１が各種のプログラムに基づいて処理動作を行うことで、管理サーバ１、ユーザ端末２としての必要な情報処理や通信が実行される。
なお、管理サーバ１、ユーザ端末２を構成する情報処理装置は、図２のようなコンピュータ装置が単一で構成されることに限らず、複数のコンピュータ装置がシステム化されて構成されてもよい。複数のコンピュータ装置は、ＬＡＮ（Local Area Network）などによりシステム化されていてもよいし、インターネットなどを使用したＶＰＮ（Virtual Private Network）などにより遠隔地に通信可能な状態で配置されたものでもよい。
【００３０】
＜２．管理サーバ、ユーザ端末及びＤＢの機能＞
図３を参照して管理サーバ１、ユーザ端末２、ＤＢ３の機能について説明する。
管理サーバ１、ユーザ端末２は、１又は複数の情報処理装置で構成される。管理サーバ１、ユーザ端末２の各機能は、情報処理装置においてＣＰＵ７１でプログラムに応じて実行される処理により実現される機能である。但し、以下説明する全部又は一部の各構成の処理をハードウェアにより実現してもよい。
また各機能をソフトウェアで実現する場合に、各機能がそれぞれ独立したプログラムで実現される必要はない。一つのプログラムにより複数の機能の処理が実行されてもよいし、一つの機能が複数のプログラムモジュールの連携で実現されてもよい。
【００３１】
図３Ａに示すように、管理サーバ１は、ユーザインタフェース部１１、検索処理部１２、プラン生成処理部１３を有する。
ユーザインタフェース部１１は、ウェブページデータに基づいて、ウェブページをユーザ端末２のウェブブラウザ上に提示制御する。
【００３２】
検索処理部１２は、入力された検索条件に基づいて地上局の検索処理を行い、検索結果を取得する。検索処理部１２は、取得した検索結果に基づいてユーザ端末２のウェブブラウザ上で提示するためのウェブページータを生成する。
【００３３】
プラン生成処理部１３は、検索結果ページで指定された１又は複数の地上局の情報に基づいて通信プランを作成する処理を行う。プラン生成処理部１３は、作成した通信プランをユーザ端末２のウェブブラウザ上で提示するためのウェブページを生成する。
本実施の形態では、管理サーバ１が本発明請求項の情報処理装置に相当する。
【００３４】
ユーザ端末２はウェブブラウザを備え、当該ウェブブラウザには、管理サーバ１から受信したウェブページデータに基づくウェブページが表示される。
ユーザ端末２は、ユーザの選択操作に応じてリクエスト信号を管理サーバ１に送信することでウェブページデータを要求する。そして、ユーザ端末２はそのリクエスト信号に応じて管理サーバ１から送られてきたウェブページデータを受信してウェブブラウザ上に提示する。
なお、ウェブページデータはレスポンシブ対応とされており、これにより、ユーザ端末２がコンピュータ装置、スマートフォンやタブレット端末など、異なる画面サイズを有するデバイスに対してウェブページのレイアウトを柔軟に提示することができる。
【００３５】
次に上記機能を備えた管理サーバ１が通信可能とされるＤＢ３について説明する。
ＤＢ３には、本システムに登録されている地上局に関する情報が記録されている。具体的には、地上局の識別情報である地上局ＩＤ（Identification）に対して、地上局の名称、外観、緯度、経度、回線速度、Ｇ／Ｔ、ＥＩＲＰ（Equivalent Isotropically Radiated Power）、ダウンロードライセンスの要否などに関する情報、ダウンリンクとアップリンクの一方又は両方の周波数範囲、最大帯域幅、変調方式、最大データ転送速度、偏波型、アンテナタイプ、パスに関する情報、利用価格、ポインティング精度などの情報が紐付けられて記録されている。
【００３６】
ＤＢ３には、本システムを利用するユーザに関する情報が記憶されている。具体的には、ユーザ識別情報であるユーザＩＤに対して、氏名、性別、年齢、住所、本システムで指定したチャネルの検索条件などが紐付けられて記憶されている。
【００３７】
ＤＢ３には、他にも本システムを構成する様々なウェブページデータが記憶されている。例えばログインページや、後述する帯域指定ページ、通信指定ページ、検索結果ページ、詳細ページ、通信プランページ等のウェブページデータが記録されている。管理サーバ２は、ＤＢ３から取得したウェブページデータに基づいて画像やテキストをユーザ端末１上で提示させる。
【００３８】
これらのウェブページデータは、例えば、ＨＴＭＬ（Hyper Text Markup Language）やＸＨＴＭＬ（Extensible Hyper Text Markup Language）などの構造化文書ファイルである。構造化文書ファイルには、記事などのテキストデータや記事に添付された画像などの画像データと、それらの配置や提示態様（文字色、フォント、大きさ及び装飾など）が記述されている。
なお、もちろんこれ以外にもインターネットの管理サーバ１として機能するために必要なＤＢが構成されていてもよい。
【００３９】
以上のＤＢ３等の各ＤＢは、管理サーバ１とは別のサーバコンピュータ内に構築されていてもよいし、管理サーバ１内に構築されていてもよい。
また各ＤＢは、管理サーバ１がアクセス可能とされていればどのような形態で実現されていてもよい。例えば管理サーバ１と同一システム内の記憶部に各ＤＢのすべてが形成されていてもよいし、各ＤＢの一部又は全部が別体、遠隔地などのコンピュータシステムに設けられていてもよい。もちろん各ＤＢが一つの装置（例えば一つのＨＤＤなど）内に形成されている必要はない。また各ＤＢのそれぞれが、それぞれ１つのＤＢとして構成される必要もない。実施の形態で説明する上記ＤＢは、実施の形態の処理に関連する情報の記憶部を、それぞれ一つのＤＢの形態で例示したものに過ぎない。
【００４０】
上記した管理サーバ１、ユーザ端末２、ＤＢ３の各機能により、本技術の本システムが実現される。
【００４１】
なお、本実施の形態では、図３Ａに示すように、管理サーバ１がユーザインタフェース部１１、検索処理部１２、プラン生成処理部１３を有している例について説明したが、各機能は複数の情報処理装置に分散されていてもよいし、機能の一つが複数の情報処理装置によって実現されてもよい。
【００４２】
例えば、図３Ｂに示すように、ユーザ端末２がユーザインタフェース部１１Ａ、検索処理部１２Ａ、プラン生成処理部１３Ａを有するように構成されていてもよい。
この場合、ユーザ端末２が本発明請求項の情報処理装置に相当する。
【００４３】
また図２Ｃに示すように、管理サーバ１が検索処理部１２とプラン生成処理部１３を有し、ユーザ端末２がユーザインタフェース部１１Ａを有するように構成されていてもよい。
この場合、本願請求項は、管理サーバ１とユーザ端末２から構成されるシステムとして実現される。
【００４４】
＜３．ユーザ端末における各ページの提示態様＞
［３−１．地上局情報提供システムにおける各ページの概要］
本実施の形態における地上局情報提供システムの各ページの概要について図４を参照して説明する。
本システムではユーザ端末２のウェブブラウザ上に、指定ページ１００、検索結果ページ４００、詳細ページ５００、通信プランページ６００などが提示される。指定ページ１００は、地上局の検索条件の指定を行うことが可能とされ、帯域指定ページ２００と通信指定ページ３００から構成されている。
【００４５】
本システムにおいて、地上局に関する情報を取得するにあたり、まずはユーザ端末２に帯域指定ページ２００が提示される。
帯域指定ページ２００では、チャネルの指定を行うことができる。即ち、帯域指定ページ２００では、ダウンリンクにおける周波数帯域とアップリンクにおける周波数帯域とを指定が可能とされる。
【００４６】
ユーザの選択操作により帯域指定ページ２００でチャネルの指定がされると、ユーザのページ移動操作に応じて、ユーザ端末２に通信指定ページ３００が提示される。
通信指定ページ３００では、帯域指定ページ２００で選択されたダウンリンクの周波数帯域における通信設定と、帯域指定ページ２００で選択されたアップリンクの周波数帯域における通信設定とが可能とされている。通信設定とは、帯域指定ページ２００で指定されたチャネルについての詳細な設定のことであり、詳しい内容は後述する。
ユーザの入力操作により通信指定ページ３００で通信設定が行われる。
【００４７】
なお、ユーザのページ移動操作に応じて、通信指定ページ３００から帯域指定ページ２００に戻ることもできる。このとき、ユーザ端末２には帯域指定ページ２００が提示され、ユーザの選択操作に応じてチャネルの指定を変更することができる。
【００４８】
帯域指定ページ２００でのチャネルの指定と通信指定ページ３００での通信設定とが完了すると、ユーザの検索開始操作に応じて、チャネルと通信設定を検索条件とする地上局の検索が行われ、ユーザ端末２に検索結果ページ４００が提示される。
検索結果ページ４００では、帯域指定ページ２００及び通信指定ページ３００で入力された検索条件に該当する地上局の一覧が検索結果として選択可能に提示されている。検索結果ページ４００では、ユーザの選択操作により、通信プランを作成する地上局を選択することができる。
【００４９】
このとき、検索結果ページ４００に提示された各地上局についての詳細情報が記載された詳細ページ５００を提示させることができる。検索結果ページ４００での或る地上局に対する詳細情報要求操作に応じて、ユーザ端末２に詳細ページ５００が提示される。
ユーザは、詳細ページ５００で地上局の詳細情報を参考にして、通信プランを作成する地上局を選択することができる。
またユーザのページ移動操作に応じて、詳細ページ５００から検索結果ページ４００に戻ることができる。
【００５０】
なお、ユーザのページ移動操作に応じて、検索結果ページ４００から帯域指定ページ２００や通信指定ページ３００に戻ることもできる。このとき、帯域指定ページ２００や通信指定ページ３００において、ユーザの選択操作に応じてチャネルの指定や通信設定を変更し、検索条件を変えて地上局を検索することができる。
また、ユーザのチャネル追加操作に応じて、検索結果ページ４００から帯域指定ページ２００に戻ることもできる。この場合は、新たな検索条件としてチャネルを指定することができる。これにより、複数のチャネルを検索条件として地上局を検索することが可能となる。
【００５１】
検索結果ページ４００において地上局が選択されると、ユーザの通信プラン要求操作により、通信プランが作成され、ユーザ端末２に通信プランページ６００が提示される。
通信プランページ６００では、検索結果ページ４００で指定された１又は複数の地上局についての通信プランが提示される。通信プランの詳細については後述する。
ユーザは通信プランページ６００に提示された通信プランに基づいて、利用する地上局を検討することができる。
【００５２】
なお、ユーザのページ移動操作に応じて、通信プランページ６００から検索結果ページ４００に戻ることもできる。このとき、検索結果ページ４００において、通信プランを作成する地上局を選択し直すことができる。
【００５３】
以上のように本システムでは、ユーザ端末２に提示された各ページで入力操作等を行うことで、ユーザの指定した条件に該当する地上局について通信プランを作成することができる。
【００５４】
［３−２．帯域指定ページの概要］
図５から図７を参照して、帯域指定ページ２００の提示態様について説明する。
帯域指定ページ２００では、ダウンリンク及びアップリンクについての周波数帯域を指定することで、チャネルの指定を行うことができる。
図５に示すように、帯域指定ページ２００は、第１帯域指定領域２０１、第２帯域指定領域２０２、通信設定ボタン２０３を有している。
【００５５】
第１帯域指定領域２０１は、ダウンリンクの周波数帯域を指定する領域であり、指定部２０４と未指定部２０５を有している。
指定部２０４では、ダウンリンクに使用可能な複数の周波数帯域が選択可能に提示されている。ここでは、指定部２０４においてＵＨＦ（Ultra High Frequency）バンド、Ｓバンド、Ｘバンド、Ｋａバンドの周波数帯域が選択可能とされている。
ユーザの選択操作により、ダウンリンクにおける周波数帯域が選択される。図７では、ダウンリンクの周波数帯域の検索条件としてＫａバンドが選択された状態を示している。
【００５６】
未指定部２０５は、ダウンリンクの周波数帯域を指定しないことを選択する領域である。図８に示すように未指定部２０５が選択された状態では、地上局を検索する際に、ダウンリンクの周波数帯域によるフィルタリングがされない状態で地上局が検索されることになる。
未指定部２０５は、例えばユーザが地上局を検索しようとする際に、未だダウンリンクの周波数帯域が決まっていない場合などに選択される。
【００５７】
ユーザが指定部２０４又は未指定部２０５の何れかを選択操作することで、ダウンリンクにおける周波数帯域の指定が完了する。
【００５８】
第２帯域指定領域２０２は、アップリンクの周波数帯域を指定する領域であり、指定部２０６と未指定部２０７を有している。
指定部２０６では、アップリンクに使用可能な複数の周波数帯域が選択可能に提示されている。ここでは、選択部２０４においてＵＨＦバンド、Ｓバンドの周波数帯域が選択可能とされている。図７では、アップリンクの周波数帯域の検索条件としてＵＨＦバンドが選択された状態を示している。
【００５９】
また第２帯域指定領域２０２では「ＮＯＮＥ」の項目も選択可能とされている。これは、アップリンクを行うことを考えていない場合に選択する項目である。「ＮＯＮＥ」の項目を選択した場合は、地上局の検索の際にダウンリンクのみの検索条件に基づいて地上局の検索が行われる。
【００６０】
未指定部２０７は、アップリンクの周波数帯域を指定しないことを選択する領域である。図８に示すように未指定部２０７が選択された状態では、地上局を検索する際に、アップリンクの周波数帯域によるフィルタリングがされない状態で地上局が検索されることになる。
未指定部２０７は、例えばユーザが地上局を検索しようとする際に、まだアップリンクの周波数帯域が決まっていない場合などに選択される。
【００６１】
ユーザが指定部２０６又は未指定部２０７の何れかを選択操作することで、アップリンクにおける周波数帯域の指定が完了する。
【００６２】
ここでの周波数帯域の組み合わせには、例えばダウンリンクは「Ｋａバンド」を、アップリンクは「Ｓバンド」を検索条件として指定するといったパターンや、ダウンリンクは「Ｋａバンド」を検索条件に指定するが、アップリンクについては検索しないとするパターン、アップリンク又はダウンリンクについて検索条件を未設定とするパターンなどが考えられる。
【００６３】
通信設定領域２０３は、ダウンリンク及びアップリンクにおける周波数帯域の指定が完了した状態、即ち、チャネルが指定された状態で選択可能とされる。
通信設定領域２０３が選択されることで、図８に示すようなチャネルについての詳細な設定を行うための通信指定ページ３００が提示される。
【００６４】
［３−３．通信指定ページの概要］
図８から図１０を参照して通信指定ページ３００の提示態様について説明する。
通信指定ページ３００では、帯域指定ページ２００で選択されたダウンリンクの周波数帯域におけるチャネルの通信設定と、帯域指定ページ２００で選択されたアップリンクの周波数帯域におけるチャネルの通信設定の一方又は両方が可能とされる。
通信設定とは、帯域指定ページ２００で指定されたチャネルについての詳細な設定のことであり、以下に説明する第１通信設定領域３０１、第２通信設定領域３０２、軌道要素設定領域３０３において設定される内容のことである。
【００６５】
ここでは一例として、図６の帯域指定ページ２００で指定したチャネルをチャネル＃１として、チャネル＃１の通信指定ページ３００について説明する。
通信指定ページ３００は、第１通信設定領域３０１、第２通信設定領域３０２、軌道要素設定領域３０３、追従領域３０４を有している。
【００６６】
図８に示す第１通信設定領域３０１、図９に示す第２通信設定領域３０２、図１０に示す軌道要素設定領域３０３は、連続するウェブページデータとして一体に形成され、ユーザのスクロール操作に応じて各領域がユーザ端末２の表示部に提示される。
【００６７】
第１通信設定領域３０１は、ダウンリンクの通信設定を指定可能な領域であり、指定帯域提示領域３０５、プロパティ設定領域３０６、詳細設定領域３０７を有している。
【００６８】
指定帯域提示領域３０５には、図５で示す帯域指定ページ２００におけるダウンリンクのチャネルの指定状態が提示される。
帯域指定ページ２００でダウンリンクの周波数帯域が指定されている場合は、提示部３０８に選択された帯域が視覚的に認識できるように提示される。また、ダウンリンクの周波数帯域が未指定である場合は、提示部３０９が選択された状態となるように提示される。
【００６９】
プロパティ設定領域３０６では、ダウンリンクにおける周波数範囲、帯域幅、変調方式、最大データ転送速度、偏波型などの項目について指定が可能とされている。
【００７０】
ユーザは、周波数範囲を入力部３１０，３１０に入力することで、周波数範囲を指定することができる。
指定可能な変調方式は、選択部３１２に選択可能に提示されている。選択部３１２には、ＦＳＫ（Frequency Shift Keying）、ＡＦＳＫ（Audio Frequency Shift Keying）、ＢＰＳＫ（Binary Phase Shift Keying）、ＭＦＳＫ（Minimum Frequency Shift Keying）、ＱＰＳＫ（Quadrature Phase Shift Keying）、ＰＳＫ（Phase Shift Keying）８、ＰＳＫ１６、ＰＳＫ３２、ＰＳＫ６４、ＰＳＫ１２８、ＰＳＫ２５６、ＯＱＰＳＫ（Offset-Quaternary Phase Shift Keying）、ＱＡＭ（Quadrature Amplitude Modulation）８、ＱＡＭ１６、ＱＡＭ３２、ＱＡＭ６４、ＱＡＭ１２８、ＱＡＭ２５６、ＭＳＫ（Minimum Phase Shift Keying）、ＧＭＳＫ（Gaussian filtered Minimum Phase Shift Keying）、などが選択可能に提示されている。
ユーザは、選択部３１２に提示された変調方式に対して選択操作を行うことで、変調方式を指定することができる。図８では、一例として、選択操作を行うことで変調方式としてＱＡＭ８が指定されている状態を示している。
【００７１】
ユーザは、入力部３１３に所定値を入力することで最大データ転送速度を指定することができる。
【００７２】
偏波型は、選択部３１４に選択可能に提示されており、Ｖｅｒｔｉｃａｌ、Ｈｏｒｉｚｏｎｔａｌ、ＲＨＣＰ（Right-Hand Circular Polarization）、ＬＨＣＰ（Left-Handed Circularly Polarized wave）などが提示されている。
ユーザは、選択部３１４に提示された偏波型に対して選択操作を行うことで、偏波型を指定することができる。図８では、一例として、選択操作を行うことで偏波型としてＨｏｒｉｚｏｎｔａｌ、ＲＨＣＰが指定されている状態を示している。
【００７３】
またプロパティ設定領域３０６にはクローズボタン３１５が設けられており、ユーザがクローズボタン３１５を選択操作することで、プロパティ設定領域３０６における指定項目を一時的に非表示とすることができる。即ち、ユーザの操作に応じて、プロパティ設定領域３０６の指定項目の表示と非表示を切り換えることができる。
【００７４】
詳細設定領域３０７では、ダウンリンクにおけるリンクアベイラビリティ（Link Availability）、Ｇ／Ｔ（Gain-to-Noise Temperature Ratio）の最小値（Minimum Satellite Antenna G/T）、アンテナタイプ、ポインティング精度などの項目について指定が可能とされている。
【００７５】
ユーザは、入力部３１６に所定値を入力することでリンクアベイラビリティを指定し、入力部３１７に所定値を入力することでＧ／Ｔの最小値を指定することができる。
【００７６】
アンテナタイプは、選択部３１８，３１８に選択可能に提示されており、ダイポールアンテナ（Dipole Antenna）、ディッシュアンテナ（Dish Antenna）などが提示されている。
ユーザは、選択部３１８，３１８に提示されたアンテナタイプに対して選択操作を行うことで、アンテナタイプを指定することができる。図８では、一例として、選択操作を行うことでアンテナタイプとしてディッシュアンテナが指定されている状態を示している。
【００７７】
ユーザは、入力部３１９に所定値を入力することでポインティング精度の値を指定することができる。
【００７８】
また詳細設定領域３０７にはクローズボタン３２０が設けられており、プロパティ設定領域３０６のときと同様に、ユーザがクローズボタン３２０を選択操作することで、詳細設定領域３０７における指定項目を一時的に非表示とすることができる。即ち、ユーザの操作に応じて、詳細設定領域３０７の指定項目の表示と非表示を切り換えることができる。
【００７９】
以上の第１通信設定領域３０１の各項目について選択操作及び入力操作を行うことで、ダウンリンクにおけるチャネルの通信設定を行うことができる。
【００８０】
図９に示す第２通信設定領域３０２は、アップリンクの通信設定を指定可能な領域であり、指定帯域提示領域３０５ａ、プロパティ設定領域３０６ａ、詳細設定領域３０７ａを有している。
【００８１】
指定帯域提示領域３０５ａには、図５で示す帯域指定ページ２００におけるアップリンクのチャネルの指定状態が提示される。
帯域指定ページ２００でアップリンクの周波数帯域が指定されている場合は、提示領域３０８ａに選択された帯域が視覚的に認識できるように提示される。また、アップリンクの周波数帯域が未指定である場合は、提示部３０９ａが選択された状態となるように提示される。
【００８２】
なお、衛星局と地上局の通信においてアップリンクを行わない、即ち、図５の第２帯域指定領域２０２で「ＮＯＮＥ」の項目が選択された場合は、以下の詳細な設定について選択操作、入力操作を行うことができないようにされる。「ＮＯＮＥ」の項目が選択された場合は、アップリンクの周波数帯域指定及びその通信設定を踏まえた地上局の検索が行われないため、詳細設定を行う必要がないからである。
また第２帯域指定領域２０２で「ＮＯＮＥ」の項目が選択された場合は、図９の第２通信設定領域３０２において、プロパティ設定領域３０６ａ、詳細設定領域３０７ａを提示しないこととしてもよい。
【００８３】
プロパティ設定領域３０６ａでは、アップリンクにおける周波数範囲、帯域幅、変調方式、最大データ転送速度、偏波型などの項目について指定が可能とされている。
【００８４】
ユーザは、周波数範囲を入力部３１０ａ，３１０ａに入力することで、周波数範囲を指定することができる。
指定可能な変調方式は、選択部３１２ａに選択可能に提示されている。選択部３１２ａには、ＦＳＫ、ＡＦＳＫ、ＢＰＳＫ、ＭＦＳＫ、ＱＰＳＫ、ＰＳＫ８、ＰＳＫ１６、ＰＳＫ３２、ＰＳＫ６４、ＰＳＫ１２８、ＰＳＫ２５６、ＯＱＰＳＫ、ＱＡＭ８、ＱＡＭ１６、ＱＡＭ３２、ＱＡＭ６４、ＱＡＭ１２８、ＱＡＭ２５６、ＭＳＫ、ＧＭＳＫなどが選択可能に提示されている。
ユーザは、選択部３１２ａに提示された変調方式に対して選択操作を行うことで、変調方式を指定することができる。
【００８５】
ユーザは、入力部３１３ａに所定の数値を入力することで最大データ転送速度を指定することができる。
【００８６】
偏波型は、選択部３１４ａに選択可能に提示されており、Ｖｅｒｔｉｃａｌ、Ｈｏｒｉｚｏｎｔａｌ、ＲＨＣＰ、ＬＨＣＰなどが提示されている。ユーザは、選択部３１４ａに提示された偏波型に対して選択操作を行うことで、偏波型を指定することができる。
【００８７】
またプロパティ設定領域３０６ａにはクローズボタン３１５ａが設けられており、ユーザがクローズボタン３１５ａを選択操作することで、プロパティ設定領域３０６ａにおける指定項目を一時的に非表示とすることができる。即ち、ユーザの操作に応じて、プロパティ設定領域３０６ａの指定項目の表示と非表示を切り換えることができる。
【００８８】
詳細設定領域３０７ａでは、ダウンリンクにおけるリンクアベイラビリティ、Ｇ／Ｔの最小値、アンテナタイプ、ポインティング精度などの項目について指定が可能とされている。
【００８９】
ユーザは、入力部３１６ａに所定の数値を入力することでリンクアベイラビリティを指定し、入力部３１７ａに所定の数値を入力することでＧ／Ｔの最小値を指定することができる。
【００９０】
アンテナタイプは、選択部３１８ａ，３１８ａに選択可能に提示されており、ダイポールアンテナ、ディッシュアンテナなどが提示されている。ユーザは、選択部３１８ａ，３１８ａに提示されたアンテナタイプに対して選択操作を行うことで、アンテナタイプを指定することができる。
【００９１】
ユーザは、入力部３１９ａに所定の数値を入力することでポインティング精度の値を指定することができる。
【００９２】
また詳細設定領域３０７ａにはクローズボタン３２０ａが設けられており、プロパティ設定領域３０６ａのときと同様に、ユーザがクローズボタン３２０ａを選択操作することで、詳細設定領域３０７ａにおける指定項目を一時的に非表示とすることができる。即ち、ユーザの操作に応じて、詳細設定領域３０７ａの指定項目の表示と非表示を切り換えることができる。
【００９３】
以上の第２通信設定領域３０２の各項目について選択操作及び入力操作を行うことで、アップリンクにおけるチャネルの通信設定を行うことができる。
【００９４】
図１０に示す軌道要素設定領域３０３では、衛星局の軌道を特定するための軌道要素（Orbit element）に関する情報を入力することができる。
軌道要素設定領域３０３には、衛星局のＴＬＥについての情報を有するか否かについて、選択部３３０，３３０により「ＹＥＳ」又は「ＮＯ」を選択可能とされている。
【００９５】
選択部３３０の「ＹＥＳ」を選択することで、ＴＬＥにおける、衛星局の軌道を特定するために使用されるパラメータであるＬｉｎｅ１及びＬｉｎｅ２の情報を入力部３３１，３３２に入力することができるようになる。
また、軌道要素がいつの情報かを示す元期 (Epoch)の日付を入力部３３３に入力することができ、時刻を入力部３３４に入力することができる。なおこのとき、カレンダー３３５で日付を選択することにより、入力部３３３に日付を入力することもできる。
また、軌道傾斜角（Orbit inclination）を入力部３３７に入力することができる。
【００９６】
以上の軌道要素設定領域３０３の各項目について選択操作及び入力操作を行うことで、軌道要素（Orbit element）に関する情報を入力することができる。
【００９７】
図８から図１０に示す追従領域３０４は、ユーザ端末２の下端部に提示され、ユーザのスクロール操作に応じて追従するように提示される。
追従領域３０４は、検索ボタン３４０、チャネル追加ボタン３４１、セーブボタン３４２、地上局数提示部３４３を有している。
【００９８】
検索ボタン３４０が選択操作されることにより、入力及び選択したチャネル及びその通信設定の検索条件に該当する地上局が検索され、当該検索結果を表示する検索結果ページ４００がユーザ端末２に表示される。ここでは、チャネル＃１について地上局の検索が行われる。
なお、検索ボタン３４０は、通信指定ページ３００において通信設定を行わない場合であっても選択操作することができる。この場合、帯域指定ページ２００で指定したダウンリンクとアップリンクの一方又は両方の帯域を検索条件とする地上局の検索が行われる。
【００９９】
セーブボタン３４２は、選択操作されることにより、或るチャネルにおいて入力した検索条件を記録する。ここでは、チャネル＃１において入力された検索条件を記録することができる。これにより、ユーザは同じ検索条件で地上局を検索する際の入力の手間を省くことができる。
ただし、チャネルにおいて入力された検索条件を記録するにあたり、ユーザは、ユーザ端末２から管理サーバ１が提供するウェブサイトにアクセスし、ログイン処理を行う必要がある。これにより、ユーザの識別情報であるユーザＩＤに紐付けて各チャネルにおける検索条件を記録することができる。
【０１００】
チャネル追加ボタン３４１を選択操作することで、通信指定ページ３００において入力したチャネルに加えて、新たなチャネルを追加することができる。
例えば、チャネル＃１の検索条件の入力が完了した後で、チャネル追加ボタン３４１を選択操作すると、ユーザ端末２に帯域指定ページ２００が提示される。ユーザは、帯域指定ページ２００で新たに周波数帯域を指定することで、チャネル＃１に加えて、チャネル＃２の検索条件の入力を行うことができる。
【０１０１】
地上局数提示部３４３には、入力した検索条件に該当する地上局の数が提示される。これにより、ユーザは、検索条件に該当する地上局の数を確認しながら通信設定を行うことができる。
【０１０２】
このように本システムでは、複数のチャネルについて検索条件を指定することができる。
複数のチャネルについて検索条件を指定したうえで検索ボタン３４１を選択操作することで、複数のチャネルの検索条件を踏まえた地上局の検索が可能となる。
【０１０３】
［３−４．検索結果ページ及び詳細ページの概要］
図１１及び図１２を参照して、検索結果ページ４００の提示態様について説明する。
検索結果ページ４００は、帯域指定ページ２００及び通信指定ページ３００で指定された検索条件に基づいて検索された地上局の一覧が提示される。
検索結果ページ４００は、地上局分布提示部４０１、提示条件選択部４０２、地上局提示部４０３、検索条件提示部４０４、軌道要素提示部４０５、日付提示部４０６、地域指定部４０７、追従領域４１０を有している。
【０１０４】
地上局分布提示部４０１には、検索された地上局の各地域における分布が提示される。これにより、指定した条件に適合する地上局がどの地域にどのくらいあるかを視覚的に容易に認識することができる。
地上局が地理的にどう分散しているかは、地上局がどれだけの通信頻度で通信できるかに直接関係してくるため、地理的に地上局の分布を感覚的に掴めることは有効である。
【０１０５】
提示条件選択部４０２は、検索された地上局のうち、地上局提示部４０３に提示する地上局を絞り込んで提示するための条件を選択することができる。
提示条件選択部４０２には、「ＡＬＬ」、「ＬＩＶＥ」、「ＰＬＡＮＮＥＤ」の項目が選択可能に設けられている。
【０１０６】
「ＡＬＬ」を選択することで、検索された地上局のすべてを地上局提示部４０３に提示することができる。
「ＬＩＶＥ」を選択することで、出願人が提供する地上局予約サービスにインテグレーションされている地上局のみを地上局提示部４０３に提示することができる。
ここで地上局予約サービスとは、出願人が提供する世界各地に点在する様々な地上局を共有するためのクラウドを利用したプラットフォーム（StellarStation：登録商標）のことをいう。当該プラットフォームでは、衛星局と通信するための地上局を予約する（パススケジュールを設定する）ことが可能なプラットフォームである。
「ＰＬＡＮＮＥＤ」を選択することで、出願人が提供する地上局予約サービスにインテグレーションされていない地上局のみを地上局提示部４０３に提示することができる。
【０１０７】
検索条件提示部４０４には、各チャネルで指定した、周波数帯域及びその通信設定が提示される。検索条件提示部４０４は、図１２に示すように全部又は一部を非表示とすることが可能とされている。
また、編集ボタン４０４ａを選択操作することで、各チャネルの通信設定を変更することも可能である。
【０１０８】
軌道要素提示部４０５には、軌道要素（Orbit element）に関する情報が提示され、日付提示部４０６に日付情報が提示される。
地域指定部４０７では、各地域が選択可能とされ、選択された地域に応じて地上局の絞り込みをすることができる。
【０１０９】
地上局提示部４０３は検索結果に応じて１又は複数設けられており、地上局の名称、回線速度、Ｇ／Ｔ、ダウンロードライセンスの要否、上記した地上局予約サービスにインテグレーションされていない場合はインテグレーションの完了時期などに関する情報が提示されている。
また地上局提示部４０３には、詳細選択ボタン４０８と地上局選択部４０９が選択可能に設けられている。
【０１１０】
詳細選択ボタン４０８を選択することで、図１３に示すような、選択した地上局の詳細情報が表記された詳細ページ５００が提示される。
詳細ページ５００には、位置表示マップ５０１、外観提示部５０２、情報表示領域５０３、プロパティ提示領域５０４などが提示されている。
【０１１１】
位置表示マップ５０１には、地上局周辺の地図が表記され、地上局の位置を特定するアイコンが表示される。これにより、ユーザは詳細な地上局の位置を確認することができる。
外観提示部５０２には選択した地上局の外観が表示されている。よって、ユーザは選択した地上局の外観を確認することができる。
【０１１２】
情報表示領域５０３には、選択した地上局に関する情報、例えば、地上局の名称、緯度、経度、回線速度、Ｇ／Ｔ、ダウンロードライセンスの要否などに関する情報が提示される。
プロパティ提示領域５０４には、ダウンリンクとアップリンクのそれぞれに関するプロパティが提示されている。プロパティ提示領域５０４には、例えば、ダウンリンクとアップリンクのそれぞれについて周波数範囲、最大帯域幅、Ｇ／Ｔ、ＥＩＲＰ、変調方式、最大データ転送速度、偏波型、アンテナタイプ、利用価格、ポインティング精度などの情報が提示されている。
【０１１３】
図１３に示す詳細ページ５００をユーザが閲覧することで、通信プランを作成する地上局を選択する際に有用な情報を確認することができる。
なお、ユーザは図示しないページ戻りボタンを選択操作することで、詳細ページ５００から検索結果ページ４００に戻ることができる。
【０１１４】
図１１及び図１２に戻り、地上局提示部４０３の続きを説明する。
地上局提示部４０３の地上局選択部４０９を選択操作することで、検索された地上局から通信プランを作成する地上局を選択する。
地上局提示部４０３が選択操作されると、図１２の地上局提示部４０３ａのように選択されたことが視認可能に表示される。
【０１１５】
地上局提示部４０３が選択されると、検索結果ページ４００の下部に追従領域４１０が提示される。
追従領域４１０には、通信プラン作成ボタン４１１とセーブボタン４１２が設けられている。
【０１１６】
通信プラン作成ボタン４１１が選択操作されることで、選択された地上局提示部４０３の地上局についての通信プランの生成が行われる。例えば、図１２に示すように地上局提示部４０３ａとして選択された地上局に関する情報に基づいて、通信プランが生成される。
そして、生成された通信プランに応じた通信プランページ６００がユーザ端末２に提示される。
このように本技術では、帯域指定ページ２００及び通信指定ページ３００で指定された検索条件に基づいて検索された地上局の一覧が検索結果ページ４００に提示されるのみならず、検索結果ページ４００で提示された一覧から地上局を選択することで、選択した地上局について通信プランを作成することができる。
【０１１７】
セーブボタン４１２が選択操作されることで、入力された検索条件及び地上局の検索結果を記録することができる。これにより、ユーザは同じ検索条件を入力して地上局を検索する手間を省くことができる。
ただし、チャネルにおいて入力された検索条件を記録するにあたり、ユーザは、ユーザ端末２から管理サーバ１が提供するウェブサイトにアクセスし、ログイン処理を行う必要がある。これにより、ユーザの識別情報であるユーザＩＤに紐付けて入力された検索条件及び地上局の検索結果を記録することができる。
【０１１８】
以上のように、指定した検索条件に応じて検索された地上局を検索結果ページ４００に提示することで、ユーザの希望する条件に該当する地上局が自動的に検索され、ユーザ端末２に各地上局が容易に確認できるように提示される。
【０１１９】
［３−５．通信プランページの概要］
図１４から図１７を参照して、通信プランページ６００の提示態様について説明する。
通信プランページ６００は、検索結果ページ４００で指定された１又は複数の地上局について生成された通信プランが提示される。
図１４から図１７に示すように、通信プランページ６００は、プラン概要提示領域６０１、チャネルスペック提示領域６０２、第１地上局情報提示領域６０３、第２地上局情報表示領域６０４を有している。
【０１２０】
図１４に示すプラン概要提示領域６０１、図１５に示すチャネルスペック提示領域６０２、図１６に示す第１地上局情報提示領域６０３は、図１７に示す第２地上局情報表示領域６０４は、連続するウェブページデータとして一体に形成され、ユーザのスクロール操作に応じて各領域がユーザ端末２の表示部に提示される。
【０１２１】
プラン概要提示領域６０１には、キャパシティ提示部６０５、パススケジュール提示部６１５、パスチャート提示部６０６、マップ提示部６０７、選択地上局提示部６０８などが提示されている。
【０１２２】
キャパシティ提示部６０５には、選択した複数の地上局について、１日のうちにどれぐらいのデータを想定として受信できるのか、即ち、１日あたりに受信可能なデータ量が提示される。
【０１２３】
パススケジュール提示部６１５には、ダウンリンクやアップリンクにおいて、どのぐらいのパスがスケジュールできるのかが提示されており、パスチャート提示部６０６には、各地上局におけるパスの時間帯のチャートが提示されている。
【０１２４】
マップ提示部６０７には、通信プランを生成する際に選択された地上局の位置が提示される。これにより、通信プランを作成した地上局がどの地域に位置するのかを視覚的に容易に認識することができる。
【０１２５】
選択地上局提示部６０８には、通信プランを生成する際に選択された地上局に関する情報が提示される。例えば選択地上局提示部６０８には、地上局の名称、回線速度、Ｇ／Ｔ、ダウンロードライセンスの要否、上記した地上局予約サービスにインテグレーションされていない場合はインテグレーションの完了時期などに関する情報が提示される。
【０１２６】
図１５に示すチャネルスペック提示領域６０２には、指定パラメータ提示部６０９、地上局情報提示部６１０などが提示されている。
【０１２７】
指定パラメータ提示部６０９には、指定したチャネルのパラメータが提示されている。指定パラメータ提示部６０９には、例えばダウンリンクとアップリンクの周波数帯域、周波数範囲、帯域幅、変調方式、最大データ転送速度、偏波型、リンクアベイラビリティ、アンテナタイプ、Ｇ／Ｔ、ＥＩＲＰ、ポインティング精度などの情報が提示されている。
【０１２８】
地上局情報提示部６１０には、指定したチャネルで選択された各地上局情報がそれぞれ提示される。地上局情報提示部６１０には、例えば地上局の名称、回線速度、Ｇ／Ｔ、ダウンロードライセンスの要否、上記した地上局予約サービスにインテグレーションされていない場合はインテグレーションの完了時期などの情報が提示される。
【０１２９】
第１地上局情報提示領域６０３と第２地上局情報表示領域６０４は、選択された地上局に関する情報がそれぞれ提示されている。
図１６に示す第１地上局情報提示領域６０３には、地上局情報提示部６１１、外観提示部６１２、プロパティ提示領域６１３などが提示されている。
【０１３０】
地上局情報提示部６１１には、提示された地上局について図１５の地上局情報提示部６１０に示すような情報が提示され、外観提示部６１２には、提示された地上局の外観が表示される。
【０１３１】
プロパティ提示領域６１３には、ダウンリンクとアップリンクのそれぞれに関するプロパティが提示されている。プロパティ提示領域６１３には、例えば、ダウンリンクとアップリンクのそれぞれについて周波数範囲、最大帯域幅、Ｇ／Ｔ、ＥＩＲＰ、変調方式、最大データ転送速度、偏波型、アンテナタイプ、利用価格、ポインティング精度などの情報が提示されている。
【０１３２】
図１７に示す第２地上局情報提示領域６０４には、上記した図１６の第１地上局情報提示領域６０３と同様に、別の地上局についての地上局情報提示部６１１ａ、外観提示部６１２ａ、プロパティ提示領域６１３ａが提示されている。
このように、通信プランを作成する際に選択された地上局のそれぞれについて、地上局情報提示部６１１、外観提示部６１２、プロパティ提示領域６１３が提示されることになる。
【０１３３】
また上述したチャネルスペック提示領域６０２は、通信プランの作成の際に指定したチャネルごとに複数設けられている。本実施の形態では重複した説明を避けるため、チャネル＃１のチャネルスペック提示領域６０２についてのみ説明したが、例えば、チャネル＃２、チャネル＃３についても指定されていた場合は、チャネル＃１のチャネルスペック提示領域６０２に続いて、チャネル＃２、チャネル＃３のチャネルスペック提示領域６０２が連続して提示されることになる。
【０１３４】
以上のように、選択された地上局に応じて自動的に生成された通信プランページ６００が提示されることで、ユーザは、地上局提供事業者にＲＦＩやＲＦＰといった文書を送付することなしに、地上局の通信プランを確認することができる。これにより、地上局の検索の時間を大幅に短縮することができる。
また、提示された通信プランを紙媒体や電子媒体に出力することで、利用する地上局を検討する際の資料として容易に活用することができる。
【０１３５】
＜４．地上局情報提供システムにおける処理＞
地上局情報提供システムにおける管理サーバ１の処理について、図１８を参照して説明する。
まず管理サーバ１は、ステップＳ１０１において、帯域指定ページ２００の提示制御を行う。管理サーバ１は、ＤＢ３から帯域指定ページ２００のウェブページデータを取得し、ユーザ端末２に提示制御する。
これにより、図５に示すような帯域指定ページ２００がユーザ端末２に提示される。
【０１３６】
帯域指定ページ２００をユーザ端末２に提示制御した状態において、第１帯域指定領域２０１及び第２帯域指定領域２０２でのユーザの選択操作を検知すると、管理サーバ１は、当該選択操作に応じてダウンリンク及びアップリンクのチャネルの指定を行う。
【０１３７】
管理サーバ１がステップＳ１０２において通信指定ページ３００への移動操作を検知するまで、ユーザ端末２に帯域指定ページ２００が提示された状態となる。
【０１３８】
管理サーバ１は、ステップＳ１０２において、通信指定ページ３００への移動操作を検知すると、ステップＳ１０３に処理を進め、指定した周波数帯域に応じた通信指定ページ３００の提示制御を行う。
管理サーバ１は、通信設定ボタン２０３の選択操作を検知すると、帯域指定ページ２００でのチャネルの指定を反映させたウェブページデータを生成し、ユーザ端末２に提示制御する。
これにより、図８から図１０に示すような通信指定ページ３００がユーザ端末２に提示される。
【０１３９】
通信指定ページ３００をユーザ端末２に提示制御した状態において、通信設定の入力操作や選択操作を検知すると、管理サーバ１は、当該操作に応じて帯域指定ページ２００で選択されたダウンリンクの周波数帯域における通信設定や、帯域指定ページ２００で選択されたアップリンクの周波数帯域における通信設定を行う。
【０１４０】
また管理サーバ１は、セーブボタン３４２の選択操作を検知すると、ユーザが本システムにログイン状態である場合は、指定したチャネルの周波数帯域やその通信設定といった検索条件をユーザＩＤに紐付けてＤＢ３に記録する。
このとき、ユーザが本システムにログイン状態でない場合は、管理サーバ１は、ユーザ端末２にログイン画面を提示させる。ユーザは、ユーザ端末２からログイン処理を行う必要がある。ユーザ端末２からログイン要求情報を受信すると、管理サーバ１側ではログイン処理が行われる。
【０１４１】
また管理サーバ１は、セーブボタン３４２の選択操作を検知すると、現在のチャネルの検索条件を記録したうえで、ステップＳ１０１に戻り、ユーザ端末２に帯域指定ページ２００を提示制御する。
これにより、複数のチャネルについての検索条件を指定することが可能となる。
【０１４２】
管理サーバ１がステップＳ１０４において検索結果ページ４００への移動操作を検知するまで、ユーザ端末２に通信指定ページ３００が提示された状態となる。
【０１４３】
管理サーバ１は、ステップＳ１０４において、検索結果ページ４００への移動操作による検索要求を検知すると、ステップＳ１０５に処理を進め、地上局の検索処理を行う。
管理サーバ１は、図８の検索ボタン３４０の選択操作を検知すると、帯域指定ページ２００及び通信指定ページ３００で指定した検索条件に基づいて、該当する地上局を検索する。管理サーバ１は、ＤＢ３から指定した検索条件に該当する地上局に関する情報を取得する。
【０１４４】
そして管理サーバ１は、ステップＳ１０６において、検索処理に応じた検索結果ページ４００の提示制御を行う。
管理サーバ１は、検索された地上局に関する情報に基づいてウェブページデータを生成し、ユーザ端末２に提示制御する。
これにより、図１１及び図１２に示すような検索結果ページ４００がユーザ端末２に提示される。ユーザは、検索結果ページ４００で地上局の検索結果を確認することができる。
【０１４５】
検索結果ページ４００をユーザ端末２に提示制御した状態において、地上局提示部４０３における地上局選択部４０９の選択操作を検知すると、管理サーバ１は、選択された地上局を通信プランを生成する際に用いる地上局として判定する。
【０１４６】
検索結果ページ４００をユーザ端末２に提示制御した状態において、管理サーバ１は、ステップＳ１０７，Ｓ１０８について監視ループを行う。
管理サーバ１は、ステップＳ１０７において、地上局の詳細要求操作を検知すると、ステップＳ１０９に処理を進め、選択された地上局の詳細ページ５００の提示制御を行う。
管理サーバ１は、地上局提示部４０３における詳細選択ボタン４０８の選択操作を検知すると、ＤＢ３から選択された地上局の詳細ページ５００のウェブページデータを取得し、ユーザ端末２に提示制御する。
これにより、図１３に示すような詳細ページ５００がユーザ端末２に提示される。ユーザは、通信プランを作成する地上局についての詳細情報を詳細ページ５００で確認することができる。
【０１４７】
管理サーバ１がステップＳ１１０においてページ戻り操作を検知するまで、ユーザ端末２に詳細ページ５００が提示された状態となる。
詳細ページ５００が提示された状態において、管理サーバ１は、ステップＳ１１０でページ戻り操作を検知すると、ステップＳ１０６に処理を進め、検索結果ページ４００をユーザ端末２に提示制御する。
これにより、ユーザは、詳細ページ５００に提示された地上局の情報を参考にしたうえで、引き続き検索結果ページ４００において、通信プランの作成に用いる地上局を選択することができる。
【０１４８】
監視ループに戻り、管理サーバ１は、ステップＳ１０８において、例えば通信プラン作成ボタン４１１の選択操作による通信プラン要求操作を検知すると、ステップＳ１１１に処理を進める。
管理サーバ１は、ステップＳ１１１において、検索結果ページ４００で選択された地上局の情報を取得する。
【０１４９】
そして、管理サーバ１は、ステップＳ１１２において、検索結果ページ４００で選択された地上局の情報に基づいて通信プランとしてのウェブページデータを生成する通信プラン生成処理を行う。通信プランに用いられる地上局の情報は通信プランページ６００に提示される各項目を取得又は生成するための情報である。
【０１５０】
そして、管理サーバ１は、ステップＳ１１３において、ステップＳ１１２で生成したウェブページデータをユーザ端末２に提示制御する。
これにより、ユーザ端末２に図１４から図１７に示すような通信プランページ６００が提示される。選択された地上局に応じて自動的に生成された通信プランページ６００が提示されることで、ユーザは、利用する地上局を検討する際の資料を容易に取得することができる。
また、本技術では、帯域指定ページ２００及び通信指定ページ３００で指定された検索条件に基づいて検索された地上局の一覧が検索結果ページ４００に提示されるのみならず、検索結果ページ４００で提示された一覧から地上局を選択することで、選択した地上局についてさらに通信プランを作成することができる。
【０１５１】
管理サーバ１は、ステップＳ１１３の処理が完了することで、図１８の処理を終える。
管理サーバ１は、例えば、ユーザによる本システムの終了操作などに応じて図１８における各ページのユーザ端末２への提示制御を終了する。
なお、図４で説明したように、管理サーバ１は、ユーザの操作に応じて、前のページを提示制御するといったように、各ページ間で移動を行うことが可能である。
【０１５２】
以上の図１８に示す管理サーバ１の処理により、本実施の形態における地上局情報提供システムが実現される。
【０１５３】
なお、地上局情報提供システムにおける管理サーバ１の処理は、以下の形態をとることもできる。
例えば、図１８では、管理サーバ１が、ステップＳ１０４で検索結果ページ４００への移動操作を検知した後に、ステップＳ１０５で地上局の検索処理を行うこととしたが、管理サーバ１は、ステップＳ１０３において通信設定の入力を検知するごとに地上局の検索処理を行うこととしてもよい。
【０１５４】
この場合、管理サーバ１は、通信指定ページ３００に通信設定の入力が行われるごとに、現在、入力されている検索条件に基づいて地上局を検索する。そして、管理サーバ１は、検索条件に該当する数をユーザ端末２に提示制御する。
これにより、図８の通信指定ページ３００の地上局数提示部３４３のような入力した検索条件に該当する地上局の数をその都度提示することができる。
【０１５５】
＜５．まとめ＞
上記の実施の形態で説明した管理サーバ１は、衛星局と地上局の間のダウンリンク及びアップリンクのチャネルの検索条件の指定を行う指定ページ１００を提示する処理と、指定ページ１００で入力された条件に基づいた検索の結果である地上局の一覧を提示するとともに、地上局の指定入力が可能とされる検索結果ページ４００を提示する処理と、検索結果ページ４００で指定された１又は複数の地上局を用いた通信プランを示す通信プランページ６００を提示する処理と、を行うユーザインタフェース部１１を備えるものである（図１８参照）。
よって、チャネルの検索条件を指定することで検索された地上局の一覧が検索結果ページ４００に提示され、当該提示された一覧から地上局を選択することで、選択した地上局に関する情報を反映した通信プランが自動的に作成され、通信プランページ６００としてユーザ端末２に提示される。
【０１５６】
従って、数ある地上局のなかからユーザの所有する衛星局と通信可能なスペックを有する地上局を容易に検索することができる。
これにより、条件に該当する可能性のある地上局を所有する複数の地上局提供事業者のそれぞれに、ＲＦＩやＲＦＰといった文書を送付することなしに、複数の地上局をまとめて検索することができ、検索結果を一覧としてまとめて確認することができる。そのため、ユーザの希望する条件に該当する地上局を検索する時間を大幅に短縮することができる。
【０１５７】
また、一覧から地上局を選択することで、選択した地上局に関する情報を反映した通信プランを自動的に作成することができる。特に、複数の地上局に関する通信プランも自動的に一括で作成することが可能となるため、地上局の利用を検討するにあたっての提案書等を作成する手間を大幅に省くことが可能となる。
【０１５８】
以上により、ユーザが本システムを利用することにより、地上局の準備と、その運用開始までにかかるリードタイムを大幅に短縮することができる。
【０１５９】
なお、本実施の形態では、検索処理部１２が、指定ページ１００で入力された検索条件に基づいて、地上局の検索処理を行い検索結果を得るとともに、プラン生成処理部１３が検索結果ページ４００で指定された１又は複数の地上局の情報に基づいて通信プランを生成する処理を行う（図３Ａ参照）。
【０１６０】
実施の形態の管理サーバ１が提示する指定ページ１００は、衛星局と地上局の間のダウンリンク用の帯域（周波数帯域）とアップリンク用の帯域（周波数帯域）に関する指定が可能とされる帯域指定ページ２００と、帯域指定ページ２００で選択されたダウンリンクの帯域（周波数帯域）における通信設定と、帯域指定ページ２００で選択されたアップリンクの帯域（周波数帯域）における通信設定の一方又は両方が可能とされる通信指定ページ３００と、を含む複数のページで構成される（図１８のＳ１０１，Ｓ１０３参照）。
【０１６１】
これにより、地上局の検索条件として、ダウンリンク及びアップリンクの周波数帯域、及びその周波数帯域における通信設定を指定することができる。
例えば、ダウンリンクの周波数帯域ではＵＨＦ（Ultra High Frequency）バンド、Ｓバンド、Ｘバンド、Ｋａバンドなどを指定することができ、アップリンクの周波数帯域ではＵＨＦバンド、Ｓバンドなどを設定することができる。
またダウンリンク及びアップリンクの通信設定においては、周波数範囲、帯域幅、変調方式、最大データ転送速度、偏波型、地上局のリンクアベイラビリティ、Ｇ／Ｔの最小値、アンテナタイプ、ポインティング精度などを指定することができる。
【０１６２】
従って、ユーザの地上局を検索するにあたり絞り込みたい条件を指定することが可能となるため、ユーザの意図をより反映させた地上局の検索を行うことができる。
また、上記のように地上局の検索及び通信プランの作成を効率よく行うことができることにより、管理サーバ１とユーザ端末２の間の通信回数が少なくて済むことになり、これにより通信容量の削減を図ることができる。
【０１６３】
実施の形態の管理サーバ１は、検索結果ページ４００において地上局の詳細情報要求操作が行われることに応じて、該当する地上局の詳細情報を示した詳細ページ５００を提示する処理を行う（図１８のＳ１０９参照）。
詳細ページ５００がユーザ端末２に提示されることで、ユーザは検索された地上局の詳細情報を確認することができる。これにより、通信プランを作成するための地上局を選択する際に、それぞれの地上局の詳細情報を参考にすることができる。
従って、ユーザが通信プラン作成に用いる地上局を吟味することができるため、ユーザの意図をより反映させた通信プランを作成することが可能となる。
【０１６４】
実施の形態の管理サーバ１は、指定ページ１００（帯域指定ページ２００、通信指定ページ３００）ではダウンリンクのみのチャネルの検索条件の指定を行うことが可能とされる（図１８のＳ１０１等参照）。
これにより、アップリンクに関する情報を考慮することなく、ダウンリンクの検索条件のみで地上局を検索することができる。衛星局と地上局の通信においては、ダウンリンクは行うがアップリンクは行わないというケースがある。そのため、そもそも利用をしないアップリンクについての検索条件を省略することで、ユーザの手間を軽減することができる。
【０１６５】
実施の形態の管理サーバ１は、指定ページ１００（帯域指定ページ２００、通信指定ページ３００）ではダウンリンク又はアップリンクのチャネルの検索条件の指定をせずに検索要求をすることが可能とされる（図１８のＳ１０１等参照）。
これにより、ダウンリンク及びアップリンクの一方のみのチャネルの検索条件を指定した状態で地上局を検索することができ、ダウンリンク及びアップリンクの両方のチャネルの検索条件を指定しない状態で地上局を検索することができる。これにより、より柔軟な地上局の検索を実現することができる。
【０１６６】
＜６．プログラム及び記憶媒体＞
以上、本技術の情報処理装置の実施の形態としての管理サーバ１を説明してきたが、実施の形態のプログラムは、管理サーバ１における各処理を情報処理装置（ＣＰＵなど）に実行させるプログラムである。
【０１６７】
実施の形態のプログラムは、衛星局と地上局の間のダウンリンク及びアップリンクのチャネルの検索条件の指定を行う指定ページを提示する処理と、前記指定ページで入力された条件に基づいた検索の結果である地上局の一覧を提示するとともに、地上局の指定入力が可能とされる検索結果ページを提示する処理と、前記検索結果ページで指定された１又は複数の地上局を用いた通信プランを示す通信プランページを提示する処理と、を情報処理装置に実行させるプログラムである。
即ちこのプログラムは、管理サーバ１に対して図１８で説明した処理を実行させるプログラムである。
【０１６８】
このプログラムにより、管理サーバ１としての情報処理装置を実現できる。このようなプログラムは、コンピュータ装置などの機器に内蔵されている記録媒体としてのＨＤＤやＣＰＵを有するマイクロコンピュータ内のＲＯＭなどに予め記録しておくことが可能である。また、半導体メモリ、メモリカード、光ディスク、光磁気ディスク、磁気ディスクなどのリムーバブル記録媒体に、一時的或いは永続的に格納（記録）しておくことが可能である。このようなリムーバブル記録媒体は、いわゆるパッケージソフトウェアとして提供することが可能である。
このようなプログラムは、リムーバブル記録媒体からパーソナルコンピュータなどにインストールすることができる。他にもダウンロードサイトから、ＬＡＮ、インターネットなどのネットワークを介してダウンロードすることができる。
【０１６９】
最後に、上述した各実施の形態の説明は本技術の一例であり、本技術は上述の実施の形態に限定されることはない。このため、上述した各実施の形態以外であっても、本技術に係る技術的思想を逸脱しない範囲であれば、設計などに応じて種々の変更が可能であることはもちろんである。また、本明細書に記載された効果はあくまでも例示であって限定されるものではなく、他の効果があってもよい。
【符号の説明】
【０１７０】
ＮＷ  ネットワーク
１  管理サーバ
２  ユーザ端末
３  データベース
１１  ユーザインタフェース部
１２  検索処理部
１３  プラン生成処理部
１００  指定ページ
２００  帯域指定ページ
３００  通信指定ページ
４００  検索結果ページ
５００  詳細ページ
６００  通信プランページ
【要約】
【課題】検索した地上局に関する情報を容易に取得可能とする衛星事業者のためのシステムを提供する。
【解決手段】本技術における情報処理装置は、衛星局と地上局の間のダウンリンク及びアップリンクのチャネルの検索条件の指定を行う指定ページを提示する処理と、前記指定ページで入力された条件に基づいた検索の結果である地上局の一覧を提示するとともに、地上局の指定入力が可能とされる検索結果ページを提示する処理と、前記検索結果ページで指定された１又は複数の地上局を用いた通信プランを示す通信プランページを提示する処理と、を行うユーザインタフェース部を備える。
【選択図】図１８【図１】
0006775649.tif 000002
【図２】
0006775649.tif 000003
【図３】
0006775649.tif 000004
【図４】
0006775649.tif 000005
【図５】
0006775649.tif 000006
【図６】
0006775649.tif 000007
【図７】
0006775649.tif 000008
【図８】
0006775649.tif 000009
【図９】
0006775649.tif 000010
【図１０】
0006775649.tif 000011
【図１１】
0006775649.tif 000012
【図１２】
0006775649.tif 000013
【図１３】
0006775649.tif 000014
【図１４】
0006775649.tif 000015
【図１５】
0006775649.tif 000016
【図１６】
0006775649.tif 000017
【図１７】
0006775649.tif 000018
【図１８】
0006775649.tif 000019